(57)【要約】【課題】ＩＰ放送の受信機能を備えたＴＶやＤＶＤレコーダのような家電機器では、ユーザが突然電源をオフした場合、ＩＰ放送の受信終了処理を実行することが出来ないため、映像ストリームが流れたままとなり、一般家庭のネットワーク帯域が浪費されるとともに、配信サーバのリソースを占有したままになるという課題があった。【解決手段】第１および第２の映像受信端末は、相互に制御情報を伝達可能な情報伝達手段を備え、第１の映像受信端末は、映像コンテンツの受信、再生を開始した際に受信パラメータを第２の映像受信端末に通知し、第２の映像受信端末は、第１の映像受信端末が映像コンテンツの受信、再生を実行中に電源オフされたことを情報伝達手段を介して検知すると、事前に通知された受信パラメータを用いて、映像コンテンツの受信・再生の終了処理を代理で実行する。【選択図】図６
2009218819.tif 000002
【特許請求の範囲】
【請求項１】
ＩＰ（Internet Protocol）ネットワークを介して映像コンテンツを受信し、再生することが可能な第１および第２の映像受信端末を有する映像システムであって、
前記第１の映像受信端末および前記第２の映像受信端末の相互に制御情報を伝達可能な情報伝達手段を備え、
前記第１の映像受信端末は、前記映像コンテンツの受信および再生を開始した際に、前記映像コンテンツの受信および再生に用いた受信パラメータを、前記情報伝達手段を介して前記第２の映像受信端末に通知し、
前記第２の映像受信端末は、前記受信パラメータを用いて、前記映像コンテンツの受信および再生の終了処理を前記第１の映像受信端末の代理で実行する
ことを特徴とする映像システム。
【請求項２】
前記第２の映像受信端末は、前記第１の映像受信端末が映像コンテンツの受信および再生を実行中に電源オフされたことを情報伝達手段を介して検知し、受信パラメータを用いて、前記映像コンテンツの受信および再生の終了処理を前記第１の映像受信端末の代理で実行する
ことを特徴とする請求項１記載の映像システム。
【請求項３】
前記第１の映像受信端末は、ＩＰマルチキャストで配信される映像コンテンツの受信および再生を開始した際に、映像コンテンツの配信マルチキャストアドレスを、情報伝達手段を介して、前記第２の映像受信端末に通知し、
前記第２の映像受信端末は、前記マルチキャストアドレスを用いて、マルチキャストグループ離脱メッセージを、前記第１の映像受信端末の代理で送信する
ことを特徴とする請求項１記載の映像システム。
【請求項４】
前記第２の映像受信端末は、前記第１の映像受信端末がＩＰマルチキャストで配信される映像コンテンツの受信および再生を実行中に電源オフされたことを情報伝達手段を介して検知し、マルチキャストグループ離脱メッセージを、前記第１の映像受信端末の代理で送信する
ことを特徴とする請求項３記載の映像システム。
【請求項５】
ＩＰ（Internet Protocol）ネットワークを介して映像コンテンツを受信し、再生することが可能な映像受信端末であって、
他の映像受信端末との間で制御情報の伝達が可能な情報伝達手段と、
前記映像コンテンツの受信および再生が開始された際に、前記映像コンテンツの受信および再生に用いられた受信パラメータを、前記情報伝達手段を介して前記他の映像受信端末に通知するパラメータ通知手段と
を備えることを特徴とする映像受信端末。
【請求項６】
ＩＰ（Internet Protocol）ネットワークを介して映像コンテンツを受信し、再生することが可能な映像受信端末であって、
他の映像受信端末との間で制御情報の伝達が可能な情報伝達手段と、
前記情報伝達手段を介して前記他の映像受信端末から受信パラメータを取得し、前記受信パラメータを用いて、前記他の映像受信端末による映像コンテンツの受信および再生の終了処理を前記他の映像受信端末の代理で実行する代理実行手段と
を備えることを特徴とする映像受信端末。
【請求項７】
ＩＰ（Internet Protocol）ネットワークを介して映像コンテンツを受信し、再生することが可能な映像受信端末における映像受信方法であって、
前記映像受信端末による映像コンテンツの受信および再生が開始された際に、前記映像コンテンツの受信および再生に用いられた受信パラメータを、他の映像受信端末に通知するパラメータ通知ステップ
を含むことを特徴とする映像受信方法。
【請求項８】
ＩＰ（Internet Protocol）ネットワークを介して映像コンテンツを受信し、再生することが可能な映像受信端末における映像受信方法であって、
他の映像受信端末から受信パラメータを取得するパラメータ取得ステップと、
前記受信パラメータを用いて、前記他の映像受信端末による映像コンテンツの受信および再生の終了処理を前記他の映像受信端末の代理で実行する代理実行ステップと
を含むことを特徴とする映像受信方法。
【発明の詳細な説明】
【技術分野】
【０００１】
本発明は、インターネットなどのＩＰ（Internet Protocol）ネットワークを使った通信分野における映像システムおよび映像受信端末に関し、特に、複数の映像受信端末が接続されているネットワークの帯域破綻防止に関するものである。
【背景技術】
【０００２】
ＩＰネットワーク上で映像コンテンツを提供する放送型サービス（以下、ＩＰ放送）は、ＩＰマルチキャスト技術を用いて実現されることが一般的である。ＩＰマルチキャスト技術では、受信端末が映像ストリームを制御するプロトコルとして、ＩＧＭＰ（Ｉｎｔｅｒｎｅｔ Ｇｒｏｕｐ Ｍａｎａｇｅｍｅｎｔ Ｐｒｏｔｏｃｏｌ）やＭＬＤ（Ｍｕｌｔｉｃａｓｔ Ｌｉｓｔｅｎｅｒ Ｄｉｓｃｏｖｅｒｙ）を用いる。これらの標準プロトコルでは、受信端末が、映像ストリームの受信を開始したい場合は、Ｊｏｉｎメッセージをネットワーク上の中継ルーターに対して送信し、反対に、映像ストリームの受信を中止したい場合は、Ｌｅａｖｅメッセージを送信することで、受信端末は、所望の映像ストリームだけを受信することが可能となっている（非特許文献１および非特許文献２）。
【０００３】
ここで、ＩＰ放送をＦＴＴＨ（Fiber To The Home）等のブロードバンドアクセス回線を介して、一般家庭に提供する場合、通信帯域の確保の問題が生じる。ＩＰ放送では、１チャンネルの視聴毎に、一定のネットワーク帯域を占有するため、各家庭のネットワーク帯域の上限を超えた数のチャンネル数を視聴した場合、当然ながら、ＩＰ放送の映像品質に劣化が発生する。一方、ＩＧＭＰやＭＬＤでは、上述の通り、単純なＪｏｉｎ、Ｌｅａｖｅの制御を行なうだけであり、ネットワーク帯域を考慮した映像ストリーム制御を行なうことは出来ない。
【０００４】
この課題に対する従来技術として、特許文献１「マルチキャスト映像配信システム及び同システムにおけるリクエスト受付処理プログラム」に開示された方法がある。この方法では、加入者回線とバックボーンネットワークの間に、フィルタリングゲートウェイ装置を設置する。フィルタリングゲートウェイ装置は、受信端末から視聴要求リクエストを受信した場合、１）既に同じチャンネルを視聴している受信端末があるか否か、２）ネットワーク帯域に余裕があるか否かをチェックし、リクエスト処理の中継動作を動的に変更する。これらの動作により、加入者回線に伝送される情報量を動的に制御し、ネットワーク帯域溢れの課題を解決している。
【特許文献１】特許第３６５２６７０号公報
【非特許文献１】ＲＦＣ２３２６  ＩＧＭＰ Ｖｅｒｓｉｏｎ２
【非特許文献２】ＲＦＣ３８１０  ＭＬＤ  Ｖｅｒｓｉｏｎ２
【発明の開示】
【発明が解決しようとする課題】
【０００５】
しかしながら、ＴＶ（television）やＤＶＤ（Digital Versatile Disk）レコーダのような家電機器にＩＰ放送受信機能を搭載した場合、新たな課題が発生する。ＴＶやＤＶＤレコーダのような家電機器では、ユーザが突然、機器の電源をオフした場合、Ｌｅａｖｅメッセージ送信の処理を実行することが出来ないため、映像ストリームが流れたままとなり、一般家庭のネットワーク帯域が浪費されるとともに、配信サーバのリソースを占有したままになるという課題があった。
【０００６】
そこで、本発明は、かかる問題に鑑みてなされたものであって、ネットワーク帯域の浪費を防止するとともにリソースの効率的な利用を図る映像システムおよび映像受信端末を提供することを目的とする。
【課題を解決するための手段】
【０００７】
上記目的を達成するために、本発明の映像システムは、ＩＰネットワークを介して映像コンテンツを受信し、再生することが可能な第１および第２の映像受信端末を有する映像システムであって、第１の映像受信端末および第２の映像受信端末の相互に制御情報を伝達可能な情報伝達手段を備え、第１の映像受信端末は、映像コンテンツの受信および再生を開始した際に、映像コンテンツの受信および再生に用いた受信パラメータを、情報伝達手段を介して第２の映像受信端末に通知し、第２の映像受信端末は、その受信パラメータを用いて、映像コンテンツの受信および再生の終了処理を第１の映像受信端末の代理で実行することを特徴とする。
【０００８】
また、第２の映像受信端末は、第１の映像受信端末が映像コンテンツの受信および再生を実行中に電源オフされたことを情報伝達手段を介して検知し、受信パラメータを用いて、映像コンテンツの受信および再生の終了処理を第１の映像受信端末の代理で実行することを特徴とする。
【０００９】
また、第１の映像受信端末は、ＩＰマルチキャストで配信される映像コンテンツの受信および再生を開始した際に、映像コンテンツの配信マルチキャストアドレスを、情報伝達手段を介して、第２の映像受信端末に通知し、第２の映像受信端末は、マルチキャストアドレスを用いて、マルチキャストグループ離脱メッセージを、第１の映像受信端末の代理で送信することを特徴とする。
【００１０】
また、第２の映像受信端末は、第１の映像受信端末がＩＰマルチキャストで配信される映像コンテンツの受信および再生を実行中に電源オフされたことを情報伝達手段を介して検知し、マルチキャストグループ離脱メッセージを、第１の映像受信端末の代理で送信することを特徴とする。
【００１１】
なお、本発明は、このような映像システムとして実現することができるだけでなく、その映像システムに含まれる映像受信端末や、映像を受信する方法、プログラム、そのプログラムを格納する記憶媒体、集積回路としても実現することができる。
【発明の効果】
【００１２】
本発明では、家電機器では避けられない機器の突然の電源オフに対して、別の機器が代理でＩＰ放送の終了処理を実行することにより、映像ストリームが流れたままになることを防止し、一般家庭のネットワーク帯域が浪費されるとともに、配信サーバのリソースを占有したままになるという課題を解決することが可能となる。
【発明を実施するための最良の形態】
【００１３】
以下、本発明を実施するための実施の形態について、図面を参照しながら説明する。
【００１４】
（ＩＰ放送システムの基本動作）
まず始めに、本発明の前提となるＩＰ放送システムの基本動作を説明する。
【００１５】
図１は、ＩＰマルチキャスト技術を用いたＩＰ放送システムの構成を示した図である。映像サーバ１０６は、映像コンテンツをＩＰマルチキャスト通信により、ネットワーク上へ送出する機能を備える。ＴＶ１０１およびＤＶＤレコーダ１０２は、ＩＰマルチキャストで送信された映像コンテンツを受信および再生する機能を備える。エッジルータ１０５は、映像サーバ１０６とＴＶ１０１およびＤＶＤレコーダ１０２との間のＩＰマルチキャスト通信を制御する機能を備える。ＴＶ１０１およびＤＶＤレコーダ１０２は、ＩＰネットワーク１０４を介して、エッジルータ１０５と接続される。ＩＰネットワーク上には、複数のＴＶ１０１およびＤＶＤレコーダ１０２を接続してもよい。本実施例では、ＴＶ１０１およびＤＶＤレコーダ１０２がそれぞれ１台ずつ接続されている。なお、本実施の形態では、ＴＶ１０１とＤＶＤレコーダ１０２とから映像システムが構成されている。
【００１６】
次に、ＩＰ放送システムの各構成要素の動作を図２および図３を参照して説明する。尚、本説明においては、ＴＶ１０１とＤＶＤレコーダ１０２の間に差異は無いため、ＴＶ１０１を例にとって、説明する。図２のチャンネル対応表２０１は、ＩＰ放送システムのチャンネル名とマルチキャストアドレスの対応リストである。チャンネル対応表２０１では、チャンネルＡは２２５．１．１．１のマルチキャストアドレスを用いて配信することが規定されており、チャンネルＢ、Ｃ、Ｄも同様である。このチャンネル対応表２０１は、ＩＰ放送システム全体として、一意に定まるものであり、ＴＶ１０１は、例えば、ネットワーク上のサーバから取得するなどの手段により、チャンネル対応表２０１を取得するものとする。
【００１７】
図３は、ＩＰ放送システムにおいて、視聴開始、チャンネル切替、視聴終了の各動作を実行した際の通信シーケンスを示した図である。ユーザ３０１がリモコン（図示しない）でチャンネルＡを選択するなどして、ＴＶ１０１に対してチャンネルＡの視聴開始操作を行なうと、ＴＶ１０１は、チャンネル対応表２０１により、チャンネルＡに対応するマルチキャストアドレス２２５．１．１．１を取得する。次にＴＶ１０１は、エッジルータ１０５に対して、２２５．１．１．１宛のＩＧＭＰ Ｊｏｉｎメッセージを送信する。ＩＧＭＰ Ｊｏｉｎを受信したエッジルータ１０５は、２２５．１．１．１宛の映像ストリームの中継を開始し、ＴＶ１０１に２２５．１．１．１宛の映像ストリームが配信される。ＴＶ１０１は、２２５．１．１．１宛の映像ストリームの受信・再生を開始し、ユーザ３０１は、チャンネルＡを視聴できることになる。
【００１８】
次に、ユーザ３０１がチャンネルＢに切り換えた場合の動作を説明する。ユーザ３０１がチャンネルＢを選択すると、ＴＶ１０１は、まずエッジルータ１０５に対して、２２５．１．１．１宛のＩＧＭＰ Ｌｅａｖｅメッセージを送信する。２２５．１．１．１宛のＩＧＭＰ Ｌｅａｖｅを受信したエッジルータ１０５は、２２５．１．１．１宛の映像ストリームの中継を止める。次に、ＴＶ１０１は、チャンネルＢに対応するマルチキャストアドレス２２５．１．１．２をチャンネル対応表２０１から取得し、エッジルータ１０５に対して、２２５．１．１．２宛のＩＧＭＰ Ｊｏｉｎを送信する。チャンネルＡの視聴開始動作と同様に、２２５．１．１．２宛の映像ストリームがＴＶ１０１へ配信されることにより、ユーザ３０１は、チャンネルＢを視聴できる。
【００１９】
次に、ユーザ３０１がチャンネルＢの視聴を終了した場合の動作を説明する。ＴＶ１０１は、２２５．１．１．２宛のＩＧＭＰ Ｌｅａｖｅをエッジルータ１０５に対して送信し、エッジルータ１０５が２２５．１．１．２宛の映像ストリームの中継を止めることで、チャンネルＢの受信・再生を終了する。
【００２０】
尚、図３では、映像サーバ１０６からエッジルータ１０５に対して、全チャンネルの映像ストリームが配信されているが、一部の必要なチャンネルの映像ストリームだけを配信する形態もあり得る。映像サーバ１０６とエッジルータ１０５間のマルチキャスト経路制御に関しては、本発明に直接関与しないため、説明しない。また本実施例では、ＩＧＭＰを用いて説明するが、ＩＰｖ６の場合は、ＭＬＤにより同様の制御が可能である。
【００２１】
（システムの構成）
図４は、本発明の一実施例に係るＴＶ１０１の構成を示すブロック図である。ＴＶ１０１は、リモコン受信部４０２が、チャンネルＡの視聴コマンドを受信すると、マイコン４０３が、メモリ４０８に保持しているチャンネル対応表４０９から、チャンネルＡに対応するマルチキャストアドレス２２５．１．１．１を読み出し、ＩＰ通信部４０５に受信開始を指示する。ＩＰ通信部４０５は、２２５．１．１．１宛のＩＧＭＰ ＪｏｉｎメッセージをＩＰネットワーク１０４に送信し、チャンネルＡの映像ストリームの配信が開始される。ＩＰ通信部４０５は、チャンネルＡの映像ストリームを受信し、ＩＰパケット処理を行なった後、デコーダ４０６に映像ストリームを入力する。デコーダ４０６は映像・音声のデコード処理を行ない、ディスプレイ／スピーカ４０７に映像が表示されることで、ユーザ３０１は、チャンネルＡの視聴を開始できる。
【００２２】
図５は、本発明の一実施例に係るＤＶＤレコーダ１０２の構成を示すブロック図である。ＴＶ１０１と共通の構成及び動作に関しては、説明を省略する。ＴＶ１０１のＨＤＭＩ／ＣＥＣ通信部４０４とＤＶＤレコーダ１０２のＨＤＭＩ／ＣＥＣ通信部５０４は、ＨＤＭＩ（High-Definition Multimedia Interface）ケーブル１０３で接続され、映像・音声を伝送すると共に、相互にＣｏｎｓｕｍｅｒ Ｅｌｅｃｔｒｏｎｉｃｓ Ｃｏｎｔｒｏｌ（ＣＥＣ）を介して、ＣＥＣコマンドを送受信することができる。
【００２３】
（システムの動作）
図６は、本発明の一実施例に係るＴＶ１０１とＤＶＤレコーダ１０２の連係動作を示す通信シーケンス図である。ユーザ３０１が、ＴＶ１０１に対して、チャンネルＡの視聴操作を行なうと、ＴＶ１０１は、エッジルータ１０５に対して、２２５．１．１．１宛のＩＧＭＰ Ｊｏｉｎメッセージを送信し、チャンネルＡの受信、再生を開始する。このとき、ＴＶ１０１のマイコン４０３は、ＨＤＭＩ／ＣＥＣ通信部４０４を介して、チャンネルＡのマルチキャストアドレス２２５．１．１．１を、ＤＶＤレコーダ１０２に通知する。ＤＶＤレコーダ１０２のマイコン５０３は、ＨＤＭＩ／ＣＥＣ通信部５０４から、マルチキャストアドレス２２５．１．１．１を通知されると、メモリ５０８に保持する。
【００２４】
ユーザ３０１が、ＴＶ１０１に対して、チャンネルＡの視聴終了操作を行なうと、ＴＶ１０１は、エッジルータ１０５に対して、２２５．１．１．１宛のＩＧＭＰ Ｌｅａｖｅメッセージを送信し、チャンネルＡの受信・再生を終了する。これが正常な視聴終了シーケンスである。
【００２５】
一方、ユーザ３０１がチャンネルＡの視聴終了操作を行なわずに、ＴＶ１０１の電源をオフする場合がある。この場合、２２５．１．１．１宛のＩＧＭＰ Ｌｅａｖｅメッセージが送信されないために、チャンネルＡの映像ストリームが流れたままとなる。ＩＧＭＰでは、エッジルータ１０５がＮ秒間隔でＱｕｅｒｙを送信し、Ｍ回に渡って応答が無い場合に、エッジルータ１０５が映像ストリームの配信を停止するが（ＮおよびＭの値はＩＰ放送システム毎に異なる）、一般に数分にわたって、広帯域の映像ストリームが流れたままとなるため、ネットワーク帯域が占有される。
【００２６】
ＴＶ１０１は電源オフの指示を受けた際には、ＤＶＤレコーダ１０２に対してテレビの電源がオフされた旨の通信を行う。その後、テレビ１０１の電源オフする。
【００２７】
ＤＶＤレコーダ１０２は、ＴＶ１０１の電源がオフされたことを検知して、マイコン５０３は、メモリ５０８から保持していたマルチキャストアドレス５０９を読み出し、ＩＰ通信部５０５に対して、マルチキャストアドレス５０９宛のＩＧＭＰ Ｌｅａｖｅメッセージを送信するように指示する。
【００２８】
ＤＶＤレコーダ１０２により、ＴＶ１０１が電源オフしたか否かを検出する手段として、ＴＶ１０１から受信したテレビ１０１の電源をオフする旨の指示によることや、ＴＶ１０１と接続されているＨＤＭＩケーブルを通じた信号の授受があるか否かを検出することや、電源信号が供給なされているか否かなどを用いることができる。また、定期的にＤＶＤ１０２からＴＶ１０１に対して、電源がオンのままであるか否かを問い合わせても構わない。
【００２９】
以上のように、ＤＶＤレコーダ１０２が、ＴＶ１０１の電源オフ後、すみやかにＩＧＭＰ Ｌｅａｖｅメッセージを送信することにより、チャンネルＡの映像ストリームの配信がただちに停止され、ネットワーク帯域が無駄に占有されることを防ぐことが可能となる。
【００３０】
なお、本実施の形態では、ＴＶ１０１とＤＶＤレコーダ１０２とはＨＤＭＩ／ＣＥＣを用いて接続されていることを例に取ったが、他の手段により接続されても構わない。
【産業上の利用可能性】
【００３１】
本発明の映像システムおよび映像受信端末は、ネットワーク帯域の浪費を防止するとともにリソースの効率的な利用を図ることができるという効果を奏し、例えばＤＶＤレコーダやテレビなどに適用することができる。
【図面の簡単な説明】
【００３２】
【図１】本発明に係るＩＰマルチキャスト技術を用いたＩＰ放送システムの構成を示した図である。
【図２】本発明に係るＩＰ放送チャンネル名とマルチキャストアドレスの対応表を示した図である。
【図３】本発明に係るＩＰ放送システムの基本動作を示した通信シーケンス図である。
【図４】本発明に係るＴＶ１０１の構成を示したブロック図である。
【図５】本発明に係るＤＶＤレコーダ１０２の構成を示したブロック図である。
【図６】本発明に係るＴＶ１０１とＤＶＤレコーダ１０２の連携動作を示す通信シーケンス図である。
【符号の説明】
【００３３】
１０１  ＴＶ
１０２  ＤＶＤレコーダ
１０３  ＨＤＭＩケーブル
１０４  ＩＰネットワーク
１０５  エッジルータ
１０６  映像サーバ
２０１  チャンネル対応表
３０１  ユーザ
４０２  リモコン受信部
４０３  マイコン
４０４  ＨＤＭＩ／ＣＥＣ通信部
４０５  ＩＰ通信部
４０６  デコーダ
４０７  ディスプレイ／スピーカ
４０８  メモリ
４０９  チャンネル対応表
５０２  リモコン受信部
５０３  マイコン
５０４  ＨＤＭＩ／ＣＥＣ通信部
５０５  ＩＰ通信部
５０６  デコーダ
５０７  映像・音声出力部
５０８  メモリ
５０９  マルチキャストアドレス
【図１】
2009218819.tif 000003
【図２】
2009218819.tif 000004
【図３】
2009218819.tif 000005
【図４】
2009218819.tif 000006
【図５】
2009218819.tif 000007
【図６】
2009218819.tif 000008